(57)【要約】【課題】バッテリの利用効率を低下させることなく、鏡胴（撮像光学系）を自動的に収納するデジタルカメラを提供する。【解決手段】デジタルカメラは、撮影モード以外のモードにユーザが切り替えてから一定時間が経過すると、メモリとして用いられるＰＣカードにアクセスを行っているか否か判定する（ステップＳ１１）。ＰＣカードにアクセスを行っていないことで判定がＮＯとなると、撮像光学系（鏡胴）を収納する。それにより、鏡胴を収納する際にバッテリにかかる負荷が過大とならないように抑える。【選択図】　　　図３
2004064675.tif 000002
【特許請求の範囲】
【請求項１】
光電変換を行う光電変換手段に被写体からの光を導く撮像光学系の前記光電変換手段に対する配置を変更できるデジタルカメラにおいて、
前記配置の変更のために前記撮像光学系を移動させる移動手段と、
前記光電変換手段が出力する電気信号を処理して前記被写体の画像データを出力するデータ出力手段と、
前記データ出力手段が出力する画像データに対する処理を行うデータ処理手段と、
前記データ処理手段が前記画像データに対する処理を行っていない場合に、前記移動手段により前記撮像光学系を所定の位置に移動させる制御を行う移動制御手段と、を備えたことを特徴とするデジタルカメラ。
【請求項２】
前記移動制御手段は、前記被写体の撮影が行えるモードから他のモードに切り換えた後、一定時間が経過した場合に、前記移動手段により前記撮像光学系を所定の位置に移動させる、ことを特徴とする請求項１記載のデジタルカメラ。
【請求項３】
前記移動制御手段は、前記被写体の撮影が行えるモード以外のモードが設定された状態で、且つユーザが操作を行っていない場合に、前記移動手段により前記撮像光学系を所定の位置に移動させる、ことを特徴とする請求項１または２に記載のデジタルカメラ。
【請求項４】
前記データ処理手段は、前記画像データに対する処理の一つとして、該画像データを再生する処理を行い、前記移動制御手段は、前記データ処理手段が前記再生する処理を行っていない場合に、前記移動手段により前記撮像光学系を所定の位置に移動させる、ことを特徴とする請求項１、２、または３記載のデジタルカメラ。
【発明の詳細な説明】
【０００１】
【発明の属する技術分野】
本発明は、ＣＣＤ（Ｃｈａｒｇｅ　Ｃｏｕｐｌｅｄ　Ｄｅｖｉｃｅ）等の光電変換を行う光電変換手段に被写体からの光を導く撮像光学系（鏡胴）のその光電変換手段に対する配置を変更できるデジタルカメラに関する。
【０００２】
【従来の技術】
近年では、被写体の画像をデジタルデータとして扱えるデジタルカメラが広く普及している。そのデジタルカメラでは、被写体からの光をＣＣＤ（Ｃｈａｒｇｅ　Ｃｏｕｐｌｅｄ　Ｄｅｖｉｃｅ）等に導いて電気信号（アナログの画像データ）に変換し、その電気信号を処理してデジタルの画像データを生成するようになっている。
デジタルカメラには、画像をデジタルデータで扱う利点に注目して、様々な機能が搭載される。例えば画像データを再生する再生機能やデータの出力機能は、通常、標準で搭載されている。そのような機能は普通、それに対応するモードを設定することで利用できるようになっている。
一方、被写体の撮影倍率を変更できるズーム機能は、カメラに幅広く搭載されている。その撮影倍率の変更は、焦点距離を変化させることで実現される。ズーム機能を搭載したカメラは、普通、レンズ（撮像光学系の少なくとも一部）を配置した鏡筒の本体からの突出量を変化させることにより、その焦点距離を変化させるようになっている。
その突出量が大きくなるほど、他の物にぶつけるなどして鏡筒に外力（衝撃等を含む）がかかり易くなる。その外力が大きければ、機械的構成に悪影響を及ぼすことになる。このため、ズーム機能付きカメラには、その外力による悪影響の発生を回避するために、一定時間、操作が行われなければ突出量の最も小さい位置（収納（沈胴）位置）に鏡筒を自動的に移動させる機能（以下、「自動収納機能」と呼ぶ）が広く搭載されている。参考技術文献としては、特開２００１−９１９９４公報が挙げられる。
上記自動収納機能を搭載した従来のデジタルカメラとしては、例えば特開２００１−３２６８４９公報に記載されたものがある。それに記載された従来のデジタルカメラは、撮影を行える撮影モードから画像データを再生できる再生モードに切り換えられた後、一定時間、操作が行わなければ鏡胴を自動的に収納するようになっている。
【０００３】
【発明が解決しようとする課題】
デジタルカメラでは、画像データの再生を比較的に長時間、継続して行うことができる。このため、上記従来のデジタルカメラでは、画像データの再生時に鏡胴を自動的に収納してしまうという問題点があった。
画像データの再生（画像データの再生には、それを表示させることの他に、メモリへのアクセス、その画像データに対する処理（伸長処理、など）なども行われる）と鏡胴の収納（撮像光学系の配置の変更）を並行して行うと、当然のことながら、それらを単独で行う場合より全体の消費電力は増大する。このため、バッテリにそれらを単独では行えるだけの容量しか残っていないような場合、大きな消費電力をバッテリが供給できず（バッテリ端子間の電圧が非常に小さくなり）、画像データの再生、鏡胴の収納が共に行えなくなってしまうことになる。そのように、バッテリの残り容量がないという状態（バッテリエンド）になって、その残り容量を最後まで使えなくなることから、上記問題点は、バッテリの利用効率を低下させるという形で表面化する。
本発明は、バッテリの利用効率を低下させることなく、鏡胴（撮像光学系）を自動的に収納するデジタルカメラを提供することを目的とする。
【０００４】
【課題を解決するための手段】
本発明のデジタルカメラは、光電変換を行う光電変換手段に被写体からの光を導く撮像光学系の該光電変換手段に対する配置を変更できることを前提とし、配置の変更のために撮像光学系を移動させる移動手段と、光電変換手段が出力する電気信号を処理して被写体の画像データを出力するデータ出力手段と、データ出力手段が出力する画像データに対する処理を行うデータ処理手段と、データ処理手段が画像データに対する処理を行っていない場合に、撮像光学系を所定の位置に移動手段により移動させる制御を行う移動制御手段と、を備えたことを特徴とする。
なお、上記移動制御手段は、被写体の撮影が行えるモードから他のモードに切り換えた後、一定時間が経過した場合に、移動手段により撮像光学系を所定の位置に移動させる、ことが望ましい。または、被写体の撮影が行えるモード以外のモードが設定された状態で、且つユーザが操作を行っていない場合に、移動手段により撮像光学系を所定の位置に移動させる、ことが望ましい。
上記データ処理手段は、画像データに対する処理の一つとして、該画像データを再生する処理を行い、移動制御手段は、データ処理手段が再生する処理を行っていない場合に、移動手段により撮像光学系を所定の位置に移動させる、ことが望ましい。
本発明では、画像データの再生、或いはその転送といった処理を行っていない場合に、撮像光学系（鏡胴）を所定の位置に移動させる形で自動的に収納する。そのようにして、鏡胴の収納と並行して他の処理を実行するのを回避すると、全体の消費電力は抑えられ、バッテリにとってはそれにかかる負荷が抑えられることになる。その結果、バッテリの残り容量の大きさに関わらず、その残り容量を使いきることが可能となって、その利用効率は常に高く維持される。
【０００５】
【発明の実施の形態】
以下、図面を参照しながら、本発明の実施の形態につき詳細に説明する。
図１は、第１の実施の形態によるデジタルカメラの構成図である。
そのカメラ１００は、図１に示すように、レンズ系１０１ａおよび１０１ｂと、絞り・フィルタ部などを有するメカニカル機構１０２と、撮像素子であるＣＣＤ（電荷結合素子）１０３と、そのＣＣＤ１０３から出力された電気信号をサンプリングするＣＤＳ（相関２重サンプリング）回路１０４と、その回路１０４が出力する電気信号を増幅する可変利得増幅器（ＡＧＣアンプ：ＶＧ（可変）アンプ）１０５と、その増幅器１０５が出力する電気信号をＡ／Ｄ（アナログ／デジタル）変換してデジタルの画像データを出力するＡ／Ｄ変換器１０６と、その画像データに対して所定の画像処理を行うＩＰＰ（Ｉｍａｇｅ　Ｐｒｅ−Ｐｒｏｃｅｓｓｏｒ）１０７と、そのＩＰＰ１０７が出力する画像データを対象にＤＣＴ（Ｄｉｓｃｒｅｔｅ　Ｃｏｓｉｎｅ　Ｔｒａｎｓｆｏｒｍ）を行うＤＣＴ演算器１０８と、その演算器１０８の演算結果を対象に圧縮処理を行うコーダー（Ｈｕｆｆｍａｎ　Ｅｎｃｏｄｅｒ／Ｄｅｃｏｄｅｒ）１０９と、ＭＣＣ（Ｍｅｍｏｒｙ　Ｃａｒｄ　Ｃｏｎｔｒｏｌｌｅｒ）１１０と、ＤＲＡＭ１１１と、ＭＣＣ１１０の制御下でＰＣカード１５０にアクセスするＰＣカードインタフェース１１２と、カメラ１１０全体の制御を行うＣＰＵ１２１と、ユーザに通知すべき情報を表示する表示部１２２と、シャッタボタンやズーム調整用のズームボタン、及びモード切換スイッチを始めとする各種操作子を備えた操作部１２３と、動作用の制御信号を生成するＳＧ（制御信号生成）部１２６と、ストロボ（閃光発光）装置１２７と、バッテリ１２８と、バッテリ１２８が発生させる直流電圧を変圧するＤＣ−ＤＣコンバータ１２９と、各種制御用データ等を格納したＥＥＰＲＯＭ１３０と、フォーカスドライバ１３１と、そのドライバ１３１によって駆動されるパルスモータ１３２と、ズームドライバ１３３と、そのドライバ１３３によって駆動されるパルスモータ１３４と、及び、メカニカル機構１０２を構成する絞り調節用のパルスモータを駆動するモータドライバ１３５と、を備えて構成されている。上記ＰＣカード１５０は、画像データを保存するメモリとして用いられるものであり、ＰＣカードインタフェース１１２に対して着脱自在となっている。
【０００６】
レンズユニットは、レンズ系１０１、及び絞り・フィルタ部等を含むメカニカル機構１０２からなり、メカニカル機構１０２のメカニカルシャッタは２つのフィールドの同時露光を行う。レンズ系１０１は、例えば可変フォーカルレンズ系であり、フォーカスレンズ系１０１ａとズームレンズ系１０１ｂとで構成されている。
フォーカスドライバ１３１は、ＣＰＵ１２１から供給される制御信号に従ってパルスモータ１３２を駆動することにより、フォーカスレンズ系１０１ａを光軸方向上に移動させる。ズームドライバ１３３は、ＣＰＵ１２１から供給される制御信号に従ってパルスモータ１３２を駆動することにより、ズームレンズ系１０１ｂを光軸方向上に移動させる。その移動により、鏡胴は本体から突出、或いは内部に収納されることになる。また、モータドライバ１３５は、ＣＰＵ１２１から供給される制御信号に従ってメカニカル機構１０２を駆動し、例えば絞りの値を変更する。
ＣＣＤ１０３は、レンズユニットを介して導かれる被写体からの光を電気信号（アナログ画像データ）に変換する。ＣＤＳ回路１０４は、ＣＣＤ型撮像素子が出力する電気信号を低雑音化させる。
ＡＧＣアンプ１０５は、ＣＤＳ回路１０４で相関２重サンプリングされた信号のレベルを補正する。ＡＧＣアンプ１０５のゲイン（利得）は、ＣＰＵ１２１が内蔵するＤ／Ａ変換器を介して出力する設定データ（コントロール電圧）によって制御される。ＣＰＵ１２１は、そのコントロール電圧の値を、ＥＥＰＲＯＭ１３０に制御用データとして格納されたコトンロール電圧と出力ゲインとの関係を示すデータを参照して設定する。
【０００７】
Ａ／Ｄ変換器１０６は、ＡＧＣアンプ１０５を介して入力したＣＣＤ１０３からのアナログ画像データをデジタル画像データに変換する。それにより、ＣＣＤ１０３の出力信号は、ＣＤＳ回路１０４およびＡＧＣアンプ１０５を介してＡ／Ｄ変換器１０６に入力されることより、最適なサンプリング周波数（例えばＮＴＳＣ信号のサブキャリア周波数の整数倍）でデジタルの画像データに変換される。その画像データは、例えば色の種類（色相）とあざやかさ（彩度）を表す２つの色差データＣｂ、Ｃｒと、明るさを表す輝度データＹとで画像を表現するものである。
ＩＰＰ１０７、ＤＣＴ演算器１０８、およびコーダー１０９は、デジタル信号処理を行うものである。ＩＰＰ１０７は、Ａ／Ｄ変換器１０６から入力した画像データについて、色差データＣｂ、Ｃｒと輝度データＹとに分けて補正を行う。ＤＣＴ演算器１０８は、例えばＪＰＥＧ準拠の画像圧縮・伸長の一過程である直交変換を行い、コーダー１０９は、ＪＰＥＧ準拠の画像圧縮・伸長における別の一過程であるハフマン符号化・復号化などを行う。
ＭＣＣ１１０は、圧縮処理された画像データを一旦、蓄えて、ＰＣカードインタフェース１１２を介してＰＣカード１５０に記録させたり、或いは、それを介してＰＣカード１５０から画像データを読み出させる。
ＣＰＵ１２１は、それに搭載のＲＡＭを作業領域として使用しながら、それに搭載のＲＯＭに格納されたプログラムを実行することにより、操作部１２３を介して行ったユーザの指示、あるいは特には図示しないリモコンなどによって行った指示に従い、デジタルカメラ１００各部の動作を制御する。それにより、撮像動作、自動露出（ＡＥ）動作、自動ホワイトバランス（ＡＷＢ）調整動作、及びＡＦ動作などの各種動作、シャッタ秒時やモードの設定などの各種設定、手振れシャッタ秒時の判定、及びＡＧＣアンプ１０５のゲイン制御などが行われる。
またカメラ電源であるバッテリ１２８は、例えばＮｉＣｄ、ニッケル水素、或いはリチウムを用いた電池である。そのバッテリ１２８が供給する電流は、ＤＣ−ＤＣコンバータ１２９に入力され、そのコンバータ１２９を介してデジタルカメラ１００各部に供給される。
表示部１２２は、ＬＣＤ、ＬＥＤ、ＥＬなどを備えたものであり、各種動作モードの設定表示、警告表示、撮影したデジタル画像データ、或いは伸長処理された記録画像データなどの表示を行う。操作部１２３は、モード切換、撮影指示、ＡＧＣアンプ１０５のゲインの規定値に対する設定変更、撮影倍率、及びその他の各種設定を行うための各種のボタン（シャッタボタンを含む）を備えている。ＥＥＰＲＯＭ１３０には、ＣＰＵ１２１がデジタルカメラの動作を制御する際に使用する調整データ等が書き込まれている。
ＣＰＵ１２１は、操作部１２３が備えたモード切換スイッチへのユーザの操作に応じてモード設定の切り換えを行う。設定できるモードとしては、撮影が行える撮影モード、撮影した画像を見ることができる再生モード、各種セットアップ（ＳＥＴＵＰ）が行えるＳＥＴＵＰモード、不図示の端子を介してパーソナルコンピュータ等に画像データを転送できるＰＣモード、などがある。
【０００８】
撮影モードの設定時には、撮影倍率、即ちズーム調整用のズームボタンへの操作に応じて、ＣＰＵ１２１はズームドライバ１３３、更にはフォーカスドライバ１３１に制御信号をそれぞれ供給することにより、ズームレンズ系１０１ｂ、及びフォーカスレンズ系１０１ａを光軸方向上に移動させる。それにより、鏡胴を本体から突出させる、或いは本体内に収納させる形で動かす。鏡胴が本体内に完全に収納された収納状態でなければ、その鏡胴は以下のようにして自動的に収納させる。図２、及び図３に示すフローチャートを参照して詳細に説明する。
図２は、撮影モードからそれ以外のモードに切り換えられた場合の動作を示すフローチャートである。始めに、図２を参照して、その動作、及びその流れについて詳細に説明する。なお、図２、更には図３に示すフローチャートは、ＣＰＵ１２１が、それに搭載されたＲＯＭに格納されたプログラムを実行することにより実現される。
ユーザがモード切換スイッチを操作して撮影モードからそれ以外のモードの設定を指示すると、ＣＰＵ１２１は、操作部１２３からその操作内容を示す情報を受け取り、ユーザの指示に従って撮影モード以外のモードを設定する（ステップＳ１）。
その設定を行うと、一定時間が経過した後に割り込み信号を発生させるモード切替タイマーを起動し（ステップＳ２）、その後に、新たに設定したモードに応じた処理を実行する（ステップＳ３）。
【０００９】
図３は、上記モード切替タイマーが発生する割り込み信号によって実行する割り込み処理のフローチャートである。次に、図３を参照して、その割り込み処理について詳細に説明する。
先ず、ステップＳ１１では、現在、メモリとして用いられるＰＣカード１５０にアクセスしている状態か否か判定する。画像データを再生中、或いはその画像データを外部に転送中であった場合、ＰＣカード１５０にアクセスすることから、判定はＹＥＳとなり、ここで一連の処理を終了する。そうでない場合には、判定はＮＯとなってステップＳ１２に移行し、ズームドライバ１３３、フォーカスドライバ１３１に制御信号を供給することにより鏡胴を収納させ、モード切替タイマーは停止させた後、一連の処理を終了する。
なお、ステップＳ１１の判定がＹＥＳとなった場合、特に図示していないが、例えばモード切替タイマーはリセットして再起動させるようになっている。それにより、ＰＣカード１５０にアクセスしているときを避けて、鏡胴を収納させるようになっている。
このようにして、本実施の形態では、ＰＣカード１５０にアクセスしているときを避けることで、画像データを再生中、或いはその画像データを外部に転送中のために大きな消費電力が必要となってしまう状況下では鏡胴の収納を行わないようにしている。そのようにすると、バッテリ１２８に大きな負荷がかかることは回避され、残り容量に対して過大な負荷がかかることによるバッテリエンドは生じなくなる。このため、残り容量がなくなるまでバッテリ１２８を利用できるようになり、その利用効率は常に高く維持できることになる。
上記鏡胴の自動収納は、モード切替タイマーを利用することで、撮影モード以外のモードが設定されてから一定時間が経過した以降に行うようになっている。これは、モードの切り替えを行った後、何らかの操作をユーザが続けて行うことが多いためである。つまり、ユーザが行う操作に対応することを優先するためである。なお、撮影モード設定時にも、ユーザが操作を一定時間、行わなければ、鏡胴を自動的に収納するようにしている。
【００１０】
次に、第２の実施の形態について説明する。
第２の実施の形態によるデジタルカメラの構成は、基本的に第１の実施の形態におけるそれと同じである。動作についても大部分は基本的に同じである。このことから、第１の実施の形態の説明時に付した符号をそのまま用いて、その第１の実施の形態から異なる部分についてのみ説明することとする。
第２の実施の形態では、撮影モード以外のモードが設定された場合に鏡胴の自動収納を行う動作が第１の実施の形態から異なっている。このことから、図４、及び図５を参照して、その動作に関する部分についてのみ説明する。
図４は、第２の実施の形態における撮影モードからそれ以外のモードに切り換えられた場合の動作を示すフローチャートである。始めに、図４を参照して、その動作、及びその流れについて詳細に説明する。なお、図４、更には図５に示すフローチャートは、第１の実施の形態と同様に、ＣＰＵ１２１が、それに搭載されたＲＯＭに格納されたプログラムを実行することにより実現される。
ユーザがモード切換スイッチを操作して撮影モードからそれ以外のモードの設定を指示すると、ＣＰＵ１２１は、操作部１２３からその操作内容を示す情報を受け取り、ユーザの指示に従って撮影モード以外のモードを設定する（ステップＳ２１）。その設定を行うと、一定時間が経過した後に割り込み信号を発生させるモード切替タイマーを起動させる（ステップＳ２２）。
上記モード切替タイマーが発生する割り込み信号によって実行する割り込み処理では、図４に示すように、例えば変数であるタイマアウト済みフラグのセットをステップＳ３１で行うようになっている。そのフラグにより、モードを切り換えた後、一定時間が経過したか否か特定できるようにしている。なお、そのステップＳ３１ではモード切替タイマーの停止も行っている。
モード切替タイマーを起動させた後は、ユーザが設定を指示したモードの種類を判定する（ステップＳ２３）。ユーザがＰＣモードへの切り替えを指示した場合、その旨が判定されて、ＰＣモードの時の処理を実行する（ステップＳ２４）。ユーザがＳＥＴＵＰモードへの切り替えを指示した場合には、その旨が判定されて、ＳＥＴＵＰモードの時の処理を実行する（ステップＳ２５）。ユーザが再生モードへの切り替えを指示した場合には、その旨が判定されてステップＳ２６に移行する。
【００１１】
ステップＳ２６では、ユーザが操作を行うか、或いはタイムアウト済みフラグがセットされるのを待って、そのうちの何れが発生したのかを判定する。ユーザが何らかの操作を行った場合、その旨が判定されてステップＳ２７に移行し、ユーザが行った操作に応じた処理を行った後、ステップＳ２８に移行する。ユーザが操作を行っていない状況下でタイムアウト済みフラグがセットされた場合には、その旨が判定されてステップＳ２９に移行する。
ステップＳ２８では、タイムアウト済みフラグがセットされたか否か判定する。タイムアウト済みフラグがセットされたにも拘わらず、ユーザが操作を行ったことでステップＳ２６からステップＳ２７に移行するか、或いはステップＳ２７の実行中にそのフラグがセットされたような場合、判定はＹＥＳとなってステップＳ２９に移行し、ズームドライバ１３３、フォーカスドライバ１３１に制御信号をそれぞれ供給することにより鏡胴を収納させた後、上記ステップＳ２６に戻る。そうでない場合には、判定はＮＯとなってそのステップＳ２６に戻る。それにより、ステップＳ２９からステップＳ２６に戻った場合には、ステップＳ２６→Ｓ２７→Ｓ２８→Ｓ２６で形成されるループで動作を行う。
このように、第２の実施の形態では、撮影モードから再生モードに切り換えられた場合、その切り替えから一定時間が経過し、且つユーザが操作（その操作に応じた処理を含む）を行っていない状況となったときに鏡胴を自動収納するようにしている。それにより、ＰＣカード１５０に単にアクセスしている、或いは圧縮された画像データを伸長しているといったことを行っている状況下であっても、鏡胴の自動収納は行わないようにしている。このため、第１の実施の形態と比較すると、バッテリ１２８にかかる負荷はより低減され、その利用効率は常により高く維持できることになる。そのような自動収納を再生モードに切り換えられた場合に行うのは、再生モードでは画像の表示といった消費電力が大きい処理を行うためである。つまり、再生モードの設定時にはバッテリ１２８の利用効率が低下しやすいためである。
なお、本実施の形態（第１、及び第２の実施の形態）では、予め定めた範囲の処理の何れかを行っている場合、無条件で鏡胴の自動収納を行わないようにしているが、例えばバッテリ１２８の残り容量別にその範囲を複数、設定し、その時点での残り容量に応じて、その範囲を切り替えるようにしても良い。そのようにした場合には、バッテリ１２８に十分な残り容量があれば鏡胴をより早いタイミングで自動収納できるようになることから、その鏡胴が突出したことによる不具合の発生をより抑えられることとなる。
【００１２】
【発明の効果】
以上説明したように本発明は、画像データの再生、或いはその転送といった処理を行っていない場合に、撮像光学系（鏡胴）を所定の位置に移動させる形で自動的に収納する。そのようにして、鏡胴の収納と並行して他の処理を実行するのを回避すると、全体の消費電力は抑えられ、バッテリにかかる負荷を抑えられるようになる。このため、バッテリの残り容量の大きさに関わらず、その残り容量を使いきることができ、その利用効率を常に高く維持させることができる。
【図面の簡単な説明】
【図１】第１の実施の形態によるデジタルカメラの構成図である。
【図２】撮影モードからそれ以外のモードに切り換えられた場合の動作を示すフローチャートである。
【図３】モード切替タイマーが発生する割り込み信号によって実行する割り込み処理のフローチャートである。
【図４】撮影モードからそれ以外のモードに切り換えられた場合の動作を示すフローチャートである（第２の実施の形態）。
【図５】モード切替タイマーが発生する割り込み信号によって実行する割り込み処理のフローチャートである（第２の実施の形態）。
【符号の説明】
１０１　　レンズ系
１０１ａ　　フォーカスレンズ系
１０１ｂ　　ズームレンズ系
１０３　　ＣＣＤ
１０７　　ＩＰＰ
１０８　　ＤＣＴ演算器
１０９　　コーダ
１１０　　ＭＭＣ
１１２　　ＰＣカードインターフェース
１２１　　ＣＰＵ
１２２　　表示部
１２３　　操作部
１２８　　バッテリ
１３１　　フォーカスドライバ
１３２、１３４　　パルスモータ
１３３　　ズームドライバ
１５０　　ＰＣカード
【図１】
2004064675.tif 000003
【図２】
2004064675.tif 000004
【図３】
2004064675.tif 000005
【図４】
2004064675.tif 000006
【図５】
2004064675.tif 000007